(57)【要約】【課題】各乗場操作盤に対する呼び登録の状況から、呼び登録が良好に行われていない乗場操作盤の有無を検出し、故障や不具合の状況に合わせた適切な対応を可能にする。【解決手段】検出対象の乗場操作盤からの呼び登録の状況とそれ以外の他の乗場操作盤からの呼び登録の状況とに基づいて検出対象の乗場操作盤の故障の有無を検出する故障検出部２ｃが設けられている。故障検出部２ｃは、一定時間内に、検出対象の乗場操作盤からの呼び登録が無く、且つ、他の乗場操作盤からの呼び登録の個数が一定数以上であった場合に、検出対象の乗場操作盤に故障が発生していると判定し、防災センターの保守員への通報を行う。【選択図】図５
2017052635.tif 000002
【特許請求の範囲】
【請求項１】
エレベータの呼び登録を行うための乗場操作盤の故障を検出するためのエレベータの乗場操作盤故障検出装置であって、
前記乗場操作盤は、タッチスクリーン式ディスプレイから構成され、各階の乗場に少なくとも１台配置されているものであって、
各前記乗場操作盤からの呼び登録の情報を用いて、検出対象の乗場操作盤からの呼び登録の状況と、それ以外の他の乗場操作盤からの呼び登録の状況とに基づいて、前記検出対象の乗場操作盤の故障の有無を検出する故障検出部
を備えたエレベータの乗場操作盤故障検出装置。
【請求項２】
前記故障検出部は、第１の設定時間内に、検出対象の乗場操作盤からの呼び登録が無く、且つ、他の乗場操作盤からの呼び登録の個数が閾値以上であった場合に、前記検出対象の乗場操作盤に故障が発生していると判定する
請求項１に記載のエレベータの乗場操作盤故障検出装置。
【請求項３】
前記乗場操作盤の画面の表示を切り換える表示切換部をさらに備え、
前記故障検出部は、前記検出対象の乗場操作盤の故障を検出した場合に、当該乗場操作盤の画面に前記故障を通報するための通知釦を表示するように前記表示切換部に指示を出力し、
前記表示切換部は、前記故障検出部からの前記指示に基づき、前記乗場操作盤の画面に前記故障を通報するための通知釦を表示する
請求項１または２に記載のエレベータの乗場操作盤故障検出装置。
【請求項４】
前記故障検出部は、前記通知釦が押されたと判定した場合に、前記乗場操作盤の故障内容を特定するためのメニュー画面を表示するように前記表示切換部に指示を出力し、
前記表示切換部は、前記故障検出部からの前記指示に基づき、前記乗場操作盤の画面に前記乗場操作盤の故障内容を特定するための複数の選択肢釦が表示されたメニュー画面を表示する
請求項３に記載のエレベータの乗場操作盤故障検出装置。
【請求項５】
前記エレベータのかご内に設置され、かご内の利用者を検出する利用者検出部をさらに備え、
前記故障検出部は、検出対象の乗場操作盤から呼び登録が行われた場合に、当該呼び登録が行われた時点から第２の設定時間内に前記かご内において利用者が検出されたか否かを前記利用者検出部からの検出結果に基づいて判定し、当該利用者が検出されず、且つ、第３の設定時間内における他の乗場操作盤からの呼び登録の個数が閾値以上であった場合に、前記検出対象の乗場操作盤に故障が発生していると判定する
請求項１に記載のエレベータの乗場操作盤故障検出装置。
【請求項６】
前記故障検出部が前記検出対象の乗場操作盤に故障が発生していると判定した場合に、当該乗場操作盤の画面のキャリブレーションを行うキャリブレーション部をさらに備えた
請求項５に記載のエレベータの乗場操作盤故障検出装置。
【請求項７】
エレベータの呼び登録を行うための乗場操作盤の故障を検出するためのエレベータの乗場操作盤故障検出方法であって、
前記乗場操作盤は、タッチスクリーン式ディスプレイから構成され、各乗場に少なくとも１台配置されているものであって、
各前記乗場操作盤からの呼び登録を受け付けるステップと、
前記呼び登録の情報を用いて、検出対象の乗場操作盤からの呼び登録の状況と、それ以外の他の乗場操作盤からの呼び登録の状況とに基づいて、前記検出対象の乗場操作盤の故障の有無を検出する故障検出ステップと
を備えたエレベータの乗場操作盤故障検出方法。
【請求項８】
タッチスクリーン式ディスプレイから構成され、各乗場に少なくとも１台配置され、利用者がエレベータの呼び登録を行うための乗場操作盤と、
各前記乗場操作盤からの呼び登録が登録される呼び登録部と、
前記呼び登録の情報を用いて、検出対象の乗場操作盤からの呼び登録の状況と、それ以外の他の乗場操作盤からの呼び登録の状況とに基づいて、前記検出対象の乗場操作盤の故障の有無を検出する故障検出部と
を備えたエレベータシステム。
【発明の詳細な説明】
【技術分野】
【０００１】
この発明はエレベータの乗場操作盤故障検出装置及びエレベータの乗場操作盤故障検出方法およびエレベータシステムに関し、特に、故障検出対象の乗場操作盤と他の乗場操作盤からの呼び登録状況に基づいて乗場操作盤の故障を検出するエレベータの乗場操作盤故障検出装置及びエレベータの乗場操作盤故障検出方法、および、エレベータシステムに関するものである。
【背景技術】
【０００２】
従来のエレベータのタッチスクリーン式操作盤として、タッチスクリーン式操作盤の故障発生時に用いるための特定操作ボタンを併設したものが提案されている（例えば、特許文献１参照）。
【０００３】
当該タッチスクリーン式操作盤においては、通常時には、利用者は、エレベータの利用時にタッチスクリーン式操作盤に表示されたタッチスイッチを操作する。しかしながら、タッチスクリーン式操作盤が故障したときには、当該操作盤への入力が無効となるため、利用者は、当該操作盤とは別に設けられた特定操作ボタンを操作して、「戸開」、「戸閉」、「インターホン呼出」などの、予め設定されている最低限の特定の操作だけを行う。
【先行技術文献】
【特許文献】
【０００４】
【特許文献１】国際公開第０１／０９８１９２号
【特許文献２】特開平７−１８２０９３号公報
【発明の概要】
【発明が解決しようとする課題】
【０００５】
前述の特許文献１に記載の従来技術においては、タッチスクリーン式操作盤が故障して操作が行えないときに、利用者は、特定操作ボタンを操作することで、最低限の操作だけを行うことはできる。しかしながら、このような重度な故障ではなく、何らかの不具合により、呼び登録が良好に行われていない操作盤があったとしても、前述の特許文献１に記載の従来技術においては、エレベータの管理者には、そのことが認知されないため、故障や不具合の状況に合わせた適切な対応が行われないという問題点があった。
【０００６】
この発明は、かかる問題点を解決するためになされたものであり、各乗場操作盤に対する呼び登録の状況から、呼び登録が良好に行われていない乗場操作盤の有無を検出し、故障や不具合の状況に合わせた適切な対応を可能にする、エレベータの乗場操作盤故障検出装置及びエレベータの乗場操作盤故障検出方法、および、エレベータシステムを得ることを目的としている。
【課題を解決するための手段】
【０００７】
この発明は、エレベータの呼び登録を行うための乗場操作盤の故障を検出するためのエレベータの乗場操作盤故障検出装置であって、前記乗場操作盤は、タッチスクリーン式ディスプレイから構成され、各階の乗場に少なくとも１台配置されているものであって、各前記乗場操作盤からの呼び登録の情報を用いて、検出対象の乗場操作盤からの呼び登録の状況と、それ以外の他の乗場操作盤からの呼び登録の状況とに基づいて、前記検出対象の乗場操作盤の故障の有無を検出する故障検出部を備えたエレベータの乗場操作盤故障検出装置である。
【発明の効果】
【０００８】
この発明のエレベータの乗場操作盤故障検出装置によれば、各乗場操作盤に対する呼び登録の状況から、呼び登録が良好に行われていない乗場操作盤の有無を検出するようにしたので、乗場操作盤の完全な故障だけでなく、呼び登録の操作がしづらくなるような軽微な不具合も検出することができ、故障や不具合の状況に合わせた適切な対応を行うことができる。
【図面の簡単な説明】
【０００９】
【図１】この発明の実施の形態１に係るエレベータシステムの構成を示した構成図である。
【図２】この発明の実施の形態１に係るエレベータシステムにおける乗場を示した正面図である。
【図３】この発明の実施の形態１に係るエレベータの乗場操作盤故障検出装置の全体構成を示すブロック図である。
【図４】この発明の実施の形態１に係る乗場操作盤の画面表示例である。
【図５】この発明の実施の形態１に係るエレベータの乗場操作盤故障検出装置の動作概要を示すフローチャートである。
【図６】この発明の実施の形態２に係るエレベータの乗場操作盤故障検出装置の動作概要を示すフローチャートである。
【発明を実施するための形態】
【００１０】
実施の形態１．
図１は、この発明の実施の形態１に係るエレベータシステムを示している。図１に示すように、エレベータ４は、昇降路１０内に設置されている。昇降路１０の上部には、機械室１１が設置されている。機械室１１には、巻上機１３が設置されている。
【００１１】
巻上機１３の駆動シーブには、巻上ロープ１４が巻き掛けられている。巻上ロープ１４の一端にはかご１５が接続されている。また、巻上ロープ１４の他端には、釣合おもり１６が接続されている。かご１５と釣合おもり１６とは、巻上機１３により昇降路１０内を昇降される。
【００１２】
かご１５には、かご出入口を開閉するためのかごドア装置１７が設けられている。また、各階の乗場には、乗場ドア装置１８が設けられている。かご１５の着床時に、かごドア装置１７と乗場ドア装置１８とが互いに係合することにより、かごドア装置１７に連動して乗場ドア装置１８が開閉動作される。
【００１３】
また、機械室１１には、エレベータ４の運行を制御するエレベータ制御盤２が設けられている。
【００１４】
図２は、図１のエレベータシステムの乗場を示す正面図である。各階の乗場の乗場壁には乗場操作盤１ａ，１ｂが設けられている。このように、乗場操作盤１ａ，１ｂは、各階の乗場に少なくとも１台配置されている。図２では、図の簡略化を図るため、乗場操作盤１ａ，１ｂが、各階に１台ずつ設けられている場合を示しているが、その場合に限らず、乗場操作盤１ａ，１ｂとして、同一階の同じ乗場内に複数台の乗場操作盤が設けられていてもよい。なお、本実施の形態１および後述する実施の形態２では、同一階の同じ乗場内に乗場操作盤１ａ，１ｂが設けられている場合を想定して説明するが、本発明は、乗場操作盤が各階の乗場に少なくとも１台配置されているすべての場合に適用可能である。
【００１５】
本実施の形態においては、乗場操作盤１ａ，１ｂは、タッチスクリーン式ディスプレイから構成されている。乗場操作盤１ａ，１ｂは、利用者が、かご１５に乗車する前に、乗場呼び登録を行うために操作する操作盤である。通常時においては、乗場操作盤１ａ，１ｂには、後述する図４に示す画面５が表示されている。画面５には、「０」〜「９」までの数字が１つずつ表示されたテンキー釦と、黒星が表示された釦とが、表示されている。テンキー釦は、利用者が行先階を入力するための釦である。また、黒星が表示された釦は、主階床（任意設定階）を登録するための釦である。なお、これらの釦は、すべて、画面上に表示された仮想操作釦であり、機械式のハードウエア釦ではない。利用者は、１階に行きたい場合には、テンキー釦の「１」を押し、また、１０階に行きたい場合には、テンキー釦の「１」の後に「０」を押す。このように、本実施の形態においては、利用者は、テンキー釦により、行先階の数字を入力する。乗場操作盤１ａ，１ｂは、当該行先階と、乗場操作盤１ａ，１ｂの設置位置及び設置階床を示す識別情報とを、エレベータ制御盤２に送信する。これにより、エレベータ制御盤２に、利用者からの呼びが登録される。
【００１６】
なお、画面５に、利用者が入力された階数を表示するための表示部をさらに設けてもよい。その場合には、利用者は、当該表示部に表示された数字を見て、自身が入力した行先が正しいか否かを確認することができる。また、行先階が間違っている場合に、入力をし直せるように、「取消釦」をさらに表示するようにしてもよい。また、画面５では、テンキー釦を表示しているが、その場合に限らず、一般的なかご内操作盤のように各階ごとに１対１に対応させた行先階釦を表示するようにしてもよい。
【００１７】
図３は、この発明の実施の形態１に係るエレベータの乗場操作盤故障検出装置とその周辺との構成を示すブロック図である。
図１において、１ａ，１ｂは、図２に示した乗場操作盤である。
また、２は、図１に示したエレベータ制御盤である。エレベータ制御盤２は、乗場操作盤１ａ，１ｂからの呼び登録に基づいて、エレベータ４の運行を制御する。
３は、乗場操作盤１ａ，１ｂの故障検出後に、エレベータ制御盤２から異常が発報される防災センターである。ここでは、防災センターと記載されているが、管理室でもよい。
４は、図１に示したエレベータである。エレベータ４は、エレベータ制御盤２によって制御される。
【００１８】
エレベータ制御盤２には、呼び登録部２ａと、エレベータ制御部２ｂと、故障検出部２ｃと、表示切換部２ｄとが含まれている。
【００１９】
呼び登録部２ａは、乗場操作盤１ａ，１ｂからの信号に基づき、乗場操作盤１ａ，１ｂに対して入力された呼びを登録する。呼び登録部２ａは、登録した呼びの情報を、エレベータ制御部２ｂに送信する。
【００２０】
エレベータ制御部２ｂは、登録された呼びに基づいて、エレベータ４の動作を制御する。エレベータ制御部２ｂは、登録された呼びに基づき、当該呼びが発生した階床まで、エレベータ４を走行させ、着床させるように制御する。
【００２１】
故障検出部２ｃは、乗場操作盤１ａ，１ｂからの呼び登録の状況に基づいて、乗場操作盤１ａ，１ｂの故障を検出する。故障検出部２ｃは、呼び登録部２ａから、呼び登録の操作が行われた乗場操作盤１ａ，１ｂの識別情報を取得し、その情報に基づいて、乗場操作盤の故障の有無を判定する。具体的には、故障検出部２ｃは、１つの乗場操作盤から一定時間呼び登録がされておらず、他の乗場操作盤から呼び登録が一定数以上ある場合に、当該１つの乗場操作盤に故障が発生していると判定する。なお、当該「一定時間」とは、建物、テナント、過去の呼び登録状況等から、ある乗場操作盤からの呼び登録ができないという故障の蓋然性が高いことを示す設定時間であり、例えば、「１日」に設定するとよい。しかしながら、これに限定されるものではなく、適宜任意の時間に設定してよいこととする。また、当該「一定数」とは、建物、テナント、過去の登録状況等に基づいて、故障が発生しておらず、通常通りの呼び登録があることを意味する最低限の数であり、この「一定数」を閾値として用いて、故障か否かの判定を行うもので、例えば、「２」に設定する。しかしながら、これに限定されるものではなく、適宜任意の数に設定してよいこととする。
【００２２】
表示切換部２ｄは、故障検出部２ｃによる故障検出時に、乗場操作盤１ａ，１ｂの画面の表示を変更する。表示切換部２ｄは、故障検出部２ｃがある乗場操作盤を故障と判定した場合に、当該乗場操作盤の画面を通常時の画面から他の画面に切り換える。すなわち、通常時は後述する図４の画面５が表示されているが、故障検出時には、表示切換部２ｄにより、後述する図４の画面６〜９のいずれかに切り換えられる。
【００２３】
図４に、表示切換部２ｄにより切り換えられる、乗場操作盤１ａ，１ｂに表示される画面例として、画面５〜９を示す。
【００２４】
画面５は、正常時のテンキー入力式の行先呼び登録画面である。上述したように、画面５には、「０」〜「９」までの数字が１つずつ表示されたテンキー釦と、黒星が表示された主階床登録用の釦とが、表示されている。なお、この主階床登録用の釦は、必ずしも、表示しなくてもよい。
【００２５】
画面６は、故障検出時に表示される画面で、画面５の表示内容に加えて、防災センター３への通知を行うことを意味する「通知釦」を表示するとともに、当該「通知釦」を押すように利用者に促すメッセージを表示した画面である。当該メッセージの例としては、例えば、「通知釦を押して下さい」等でよい。
【００２６】
画面７は、画面６の通知釦押下時に表示される画面で、故障内容を特定するための複数の選択肢釦を表示したメニュー画面である。画面７は、故障内容の選択肢を示す「選択肢釦」を表示するとともに、当該「選択肢釦」を１つ選んで押下するよう促すメッセージを表示した画面である。当該メッセージの例としては、例えば、「故障内容を選択して下さい」あるいは「状況を選択して下さい」等でよい。また、故障内容の選択肢釦の例としては、例えば、乗場操作盤１ａ，１ｂの画面の汚れを意味する「Ａ  汚れ」、乗場操作盤１ａ，１ｂの画面の割れを意味する「Ｂ  割れ」、および、乗場操作盤１ａ，１ｂの画面表示の不具合を意味する「Ｃ  表示不良」などが挙げられる。
【００２７】
画面８は、画面７の「選択肢釦」が押下された場合、または、画面６，７に対して一定時間操作が行われなかった場合に表示される画面で、保守員を現在呼び出し中である旨を知らせるメッセージを表示する画面である。当該メッセージの例としては、例えば、「保守員  呼び出し  通知中」等でよい。
【００２８】
画面９は、画面５〜７において、各釦の表示位置と当該釦に利用者がタッチした場合のタッチ検出位置の座標とのズレを故障検出部２ｃが検知した場合に、位置合わせ作業（以下、キャリブレーションと呼ぶ）を促すメッセージを表示した画面である。当該メッセージの例としては、例えば、「画面にタッチ後、表示に従って、操作をして下さい」等でよい。但し、画面９は、後述する実施の形態２で用いられる画面であり、本実施の形態では用いない。従って、画面９の詳細については、実施の形態２で説明する。また、キャリブレーションについても、実施の形態２で詳しく説明する。
【００２９】
次に、本発明の実施の形態１に係るエレベータの乗場操作盤故障検出装置の動作概略を、図５のフローチャートを用いて説明する。なお、以下では、説明内容が分かりやすくなるように、乗場操作盤１ａを検出対象の乗場操作盤とし、乗場操作盤１ｂを、それ以外の他の乗場操作盤として説明を行うが、実際には、各乗場操作盤を順に検出対象とし、図５の処理を各乗場操作盤に対して行うこととする。
【００３０】
まず、ステップＳ１０１において、故障検出部２ｃは、呼び登録部２ａからの情報に基づいて、予め設定された一定時間内に、乗場操作盤１ａからの呼び登録があるか否かを判定する。判定の結果、呼び登録がない場合、ステップＳ１０２に進み、呼び登録がある場合は、故障が発生していないと判定して、開始時に戻る。なお、この場合の「一定時間」は、上述の通り、例えば１日とする。
【００３１】
ステップＳ１０２では、故障検出部２ｃが、呼び登録部２ａからの情報に基づいて、予め設定された一定時間内に、他の乗場操作盤１ｂからの呼び登録が一定数以上あるか否かを判定する。一定時間内に一定数以上の呼び登録があった場合、故障検出部２ｃは、乗場操作盤１ａに故障発生と判定し、ステップＳ１０３に進む。一方、呼び登録が一定数以下の場合、故障は発生していないと判定して、開始時に戻る。なお、この場合の「一定時間」は、上述の通り、例えば１日とする。但し、ステップＳ１０１における「一定時間」とステップＳ１０２における「一定時間」とは、上述のように、建物、各階のテナント、過去の各階における呼び登録状況等から適宜決定されるものであるため、同じであっても、異なっていてもよい。また、「一定数」は、上述の通り、例えば２と設定する。
【００３２】
ステップＳ１０３では、表示切換部２ｄが、故障検出部２ｃからの信号に基づいて、乗場操作盤１ａの画面を、図４の画面５から画面６に切り換えて、防災センター３へ通知するための「通知釦」とメッセージとを追加表示させて、ステップＳ１０４へ進む。
【００３３】
ステップＳ１０４では、故障検出部２ｃが、呼び登録部２ａからの情報に基づいて、一定時間内に乗場操作盤１ａに表示された「通知釦」が押下されたか否かを判定する。一定時間内に押下された場合、ステップＳ１０５へ進み、一定時間内に押下されなかった場合はステップＳ１０７へ進む。なお、この場合の「一定時間」は、利用者が、画面６の「通知釦」の表示に気が付いて、「通知釦」を押すまでに必要な十分な時間であり、例えば、５分とする。
【００３４】
ステップＳ１０５では、表示切換部２ｄが、故障検出部２ｃからの信号に基づいて、乗場操作盤１ａの画面を、図４の画面６から画面７に切り換えて、故障状況の選択肢釦を表示したメニュー画面を表示させて、ステップＳ１０６へ進む。
【００３５】
ステップＳ１０６では、故障検出部２ｃが、呼び登録部２ａからの情報に基づいて、予め設定された一定時間内に選択肢釦のうちのいずれか１つが押下されたか否かを判定する。一定時間内に選択肢釦のうちのいずれか１つが押下された場合に、ステップＳ１０８へ進む。一方、一定時間内に選択肢釦のいずれもが押下されなかった場合は、ステップＳ１０７へ進む。なお、この場合の「一定時間」は、利用者が、画面７の「選択肢釦」に気が付いて、「選択肢釦」のいずれか１つを押すまでに必要な十分な時間であり、例えば、５分とする。
【００３６】
ステップＳ１０７では、乗場操作盤１ａの故障を知らせるために、防災センター３の保守員へ異常を発報し、ステップＳ１０９へ進む。このとき、どの乗場操作盤が故障したかを特定するための識別情報は防災センター３に送信されるため、防災センター３の保守員は、どの乗場操作盤に故障が発生したかを知ることができる。
【００３７】
ステップＳ１０８では、乗場操作盤１ａの故障と当該故障の内容とを防災センター３の保守員へ知らせるために、どの乗場操作盤が故障したかを特定するための識別情報と、ステップＳ１０６で押下された「選択肢釦」に基づく故障の内容とが、防災センター３に送信され、送信後、ステップＳ１０９へ進む。ステップＳ１０８では、どの乗場操作盤が故障したかを特定するための識別情報と、当該故障の内容の情報とが、防災センター３に送信されるため、防災センター３の保守員は、どの乗場操作盤にどのような内容の故障が発生したかを知ることができ、故障や不具合の状況に合わせた適切な対応が可能となる。
【００３８】
ステップＳ１０９では、表示切換部２ｄが、故障検出部２ｃからの信号に基づいて、乗場操作盤１ａの画面を、図４の画面７から画面８に切り換えて、現在保守員を呼び出し中である旨を知らせるメッセージを表示し、処理を終了する。
【００３９】
以上のように、この発明の実施の形態１に係るエレベータの乗場操作盤故障検出装置においては、タッチスクリーン式ディスプレイから構成され、各階の乗場に配置された、各乗場操作盤１ａ，１ｂからの呼び登録の情報を用いて、検出対象の乗場操作盤からの呼び登録の状況と、それ以外の他の乗場操作盤からの呼び登録の状況とに基づいて、検出対象の乗場操作盤の故障の有無を検出する故障検出部２ｃを備えている。従って、各乗場操作盤１ａ，１ｂに対する呼び登録の状況から判断して、他の乗場操作盤と比較して、呼び登録の操作が良好に行われていないと思われる乗場操作盤を検出することができる。そのため、操作が全くできないといった重度の故障だけでなく、汚れや割れなどの軽微な不具合の発生であっても、呼び登録の操作が良好に行われていない乗場操作盤があれば、それを検出して、当該乗場操作盤の故障や不具合の状況に合わせた適切な対応を行うことができる。一般的な従来装置においては、操作が全く行えない程度の重度な故障以外は検出できなかったが、本実施の形態においては、重度な故障だけでなく、操作盤の画面が汚れている又は割れている、または、操作盤の釦の表示位置がずれていて、釦を押しても正常に反応しないなどの、何らかの軽微な不具合により、呼び登録がスムーズに行われないことで、使用されていない乗場操作盤がある場合には、それを検知することができる。
【００４０】
また、従来においては、現場に居合わせた利用者が故障を知り得ても、利用者が防災センター等に連絡しなければ、次の定期点検時まで、そのまま放置されてしまう可能性があったが、本実施の形態においては、防災センター３へ通報する構成としたので、故障発生時に防災センター３において、当該故障を認知することができ、次の定期点検まで待たずに、故障への迅速な対応が可能である。そのため、故障から修理までの時間を短縮し、運行効率を上げることができる。
【００４１】
また、本実施の形態においては、故障検出部２ｃが、予め設定された一定時間内に、検出対象の乗場操作盤からの呼び登録が無く、且つ、他の乗場操作盤からの呼び登録の個数が一定数以上であった場合に、検出対象の乗場操作盤に故障が発生していると判定するようにしたので、１つの乗場操作盤からの呼び登録が全くなく、他の乗場操作盤からの呼び登録が一定数以上あることから、他の乗場操作盤の状況と比較して、当該１つの乗場操作盤には呼び登録を利用者が行わない何らかの理由があると判断できるので、防災センターの保守員は、現地に出向かなくても、遠隔地の防災センターから、乗場操作盤に何らかの不具合が発生していることを検知することができる。このように、本実施の形態では、呼び登録の状況から故障や不具合の発生を検知するようにしたので、防災センター３において、集約的に、各乗場操作盤の故障や不具合をすべて検知することができる。
【００４２】
また、本実施の形態においては、乗場操作盤の画面の表示を切り換える表示切換部２ｄをさらに備え、故障検出部２ｃは、検出対象の乗場操作盤の故障を検出した場合に、当該乗場操作盤の画面に故障を通報するための「通知釦」を表示するように表示切換部２ｄに指示を出力し、表示切換部２ｄは、故障検出部２ｃからの指示に基づき、乗場操作盤の画面に故障を通報するための「通知釦」を表示するようにした。これにより、本実施の形態のおいては、防災センター３の保守員は、どの乗場操作盤で故障が発生したかを知り得ることができるため、当該故障や不具合の状況に合わせた適切な対応が可能となる。
【００４３】
さらに、本実施の形態においては、故障検出部２ｃが、当該「通知釦」が押されたと判定した場合に、乗場操作盤の故障内容を特定するためのメニュー画面を表示するように表示切換部２ｄに指示を出力し、表示切換部２ｄは、故障検出部２ｃからの指示に基づき、乗場操作盤の画面に乗場操作盤の故障内容を特定するための複数の選択肢釦が表示されたメニュー画面を表示するようにした。これにより、本実施の形態においては、防災センター３の保守員は、遠隔地から、故障が発生した乗場操作盤がどれで、かつ、その故障の状況がどのようなものであるかを確認することができるため、故障や不具合の状況に合わせた適切かつ迅速な対応が可能となる。
【００４４】
なお、補足ながら、上記の実施の形態１では、画面６の「通知釦」を仮想操作釦とし、タッチスクリーン式ディスプレイから構成された乗場操作盤１ａ，１ｂの画面に表示する例について説明した。しかしながら、乗場操作盤１ａ，１ｂの画面が割れている、あるいは、表示不良である場合には、「通知釦」を画面に良好に表示することができない場合が想定される。そのため、「通知釦」を機械式のハードウエア釦から構成し、乗場操作盤１ａ，１ｂの画面の横に併設するようにしてもよい。同様に、画面７の「選択肢釦」についても、機械式のハードウエア釦から構成し、乗場操作盤１ａ，１ｂの画面の横に併設するようにしてもよい。
【００４５】
実施の形態２．
上記の実施の形態１においては、故障検出部２ｃが、１つの乗場操作盤から一定時間呼び登録がされておらず、他の乗場操作盤からの呼び登録が一定時間内に一定数以上あった場合に、故障であると判定したが、本実施の形態では、故障検出部２ｃは、１つの乗場操作盤から呼びが登録されたにも関わらず、その後、一定時間経過しても、かご内に利用者が検出されずに、他の乗場操作盤が使用されて呼び登録された場合に、乗場操作盤に不具合が生じ、利用者の意図した階床とは別の階床が誤登録されたと判定し、乗場操作盤の故障であると判断する。
【００４６】
一般に、タッチスクリーン式ディスプレイは、温度及び湿度等の環境変化、または、経年変化により、タッチスクリーンの位置検出にずれが生じるという特性がある。しかしながら、位置検出にずれが発生している場合でも、利用者は、それを知ることができないため、位置検出のずれに気づかずに、タッチスクリーン式ディスプレイの操作を行って、その結果、誤入力になってしまうことがある。
【００４７】
そのため、位置検出のずれが生じた場合には、位置合わせ作業であるキャリブレーションを行う必要がある。
【００４８】
なお、ここで、キャリブレーションについて簡単に説明する。タッチスクリーン式ディスプレイにおいては、上述したように、画面上に表示される釦の表示位置と、検出された座標位置との間にずれが生じることがある。すなわち、利用者がタッチスクリーンの釦に触れたときに、その位置が正確に検出されずに、異なる座標位置であると誤検出されてしまうと、その結果、利用者が異なる釦に触れたと誤認識されてしまう場合がある。キャリブレーションとは、このように、画面上の表示位置と検出される座標位置との対応関係にずれが生じた場合に、当該対応関係を適正化するための調整作業のことをいう。
【００４９】
本実施の形態では、故障検出部２ｃが、１つの乗場操作盤から呼びが登録されたにも関わらず、その後、一定時間経過しても、かご内に利用者が検出されずに、他の乗場操作盤が使用されて呼び登録された場合に、乗場操作盤に位置ずれの不具合が生じ、利用者の意図した階床とは別の階床が誤登録されたと判定し、乗場操作盤の故障であると判断する実施の形態について説明する。
【００５０】
なお、本実施の形態に係るエレベータの乗場操作盤故障検出装置の構成については、実施の形態１と基本的に同様であるため、ここでは、当該構成に関する詳細な説明は省略して、図１〜図４を参照しながら、本実施の形態に係るエレベータの乗場操作盤故障検出装置について説明する。
【００５１】
ただし、以下の２点でのみ、本実施の形態と実施の形態１とで構成が異なる。
１つ目の相違点は、本実施の形態では、かご内に、利用者を検出するための利用者検出部（図示省略）が設けられている点である。この利用者検出部は、カメラまたはセンサから構成されている。利用者検出部による利用者の有無の検出結果は、故障検出部２ｃに入力される。
２つ目の相違点は、本実施の形態においては、表示切換部２ｄが、キャリブレーションを行うための自動補正プログラムを格納したキャリブレーション部（図示省略）を備えている点である。
この２点のみが本実施の形態１と異なるが、他の構成については、実施の形態１と同じである。
【００５２】
本実施の形態に係るエレベータの乗場操作盤故障検出装置の動作概略を、実施の形態１と同様の状況を例にとり、図６のフローチャートを用いて以下に説明する。
【００５３】
まず、ステップＳ２０１にて、故障検出部２ｃは、呼び登録部２ａからの情報と、利用者検出部からの情報とに基づいて、乗場操作盤１ａからの呼び登録がなされた時点から一定時間内にかご内に利用者が検出されないかを判定し、利用者が検出されない場合は、ステップＳ２０２へ進む。一方、利用者が検出された場合には、故障は発生していないと判定し、開始時に戻る。なお、この場合の「一定時間」は、乗場操作盤１ａ，１ｂに呼び登録をした後に、通常、かごに乗車するまでにかかる平均的な待ち時間を設定すればよく、例えば、１分〜２分程度に設定すればよい。しかしながら、これらに限定されるものではなく、適宜任意の時間に設定してよいこととする。
【００５４】
ステップＳ２０２では、故障検出部２ｃは、呼び登録部２ａからの情報に基づいて、予め設定された一定時間内に、他の乗場操作盤１ｂに対して一定数以上の呼び登録がされたか否かを判定する。他の乗場操作盤１ｂから一定数以上の呼び登録がされた場合には、故障検出部２ｃは、乗場操作盤１ａにおいて、検出座標位置に位置ずれが起こっていると判断し、ステップＳ２０３へ進む。一方、他の乗場操作盤１ｂに呼び登録がされない場合は、乗場操作盤１ａに故障が発生していないと判断し、開始時に戻る。なお、この場合の「一定数」とは、建物、テナント、過去の登録状況等から、通常通りの呼び登録があることを意味する最低限の数であり、当該「一定数」を閾値として用いて判定を行うため、例えば、「２」に設定する。しかしながら、これに限定されるものではなく、適宜任意の数に設定してよいこととする。また、この場合の「一定時間」は、乗場操作盤１ａに呼び登録をした後に、利用者が正確に呼び登録が行えなかったと判断し、同一階の同じ乗場内に設けられている別の乗場操作盤１ｂから呼び登録を行うまでに必要かつ十分な時間を想定して設定すればよく、例えば、１〜２分程度に設定すればよい。しかしながら、これに限定されるものではなく、適宜任意の時間に設定してよいこととする。
【００５５】
ステップＳ２０３では、表示切換部２ｄが、故障検出部２ｃからの信号に基づいて、乗場操作盤１ａの画面を、図４の画面５から画面９に切り換えて、乗場操作盤１ａに、利用者に対して、キャリブレーションを行うように促すメッセージを表示させ、ステップＳ２０４へ進む。この場合のメッセージの例としては、「画面にタッチ後、表示に従って操作をして下さい」等でよい。
【００５６】
ステップＳ２０４では、故障検出部２ｃは、一定時間内に画面９に対して画面操作がされたか否かを判定し、画面操作された場合には、ステップＳ２０７へ進み、一方、一定時間内に画面操作されなかった場合は、ステップＳ２０５へ進む。なお、この場合の「一定時間」は、利用者が、画面９のメッセージに気が付いて、画面にタッチするまでに必要な十分な時間であり、例えば、５分とする。
【００５７】
ステップＳ２０５では、故障検出部２ｃは、防災センター３の保守員へ異常を発報し、ステップＳ２０６へ進む。
【００５８】
ステップＳ２０６では、表示切換部２ｄが、故障検出部２ｃからの信号に基づいて、乗場操作盤１ａの画面を、図４の画面９から画面８に切り換えて、現在保守員を呼び出し中である旨のメッセージを表示し、処理を終了する。この場合のメッセージとしては、例えば、「保守員  呼び出し  通知中」などでよい。
【００５９】
ステップＳ２０７では、表示切換部２ｄが、故障検出部２ｃからの信号に基づいて、キャリブレーション実施画面に進み、キャリブレーション部を用いてキャリブレーションを実施した後、処理を終了する。
【００６０】
ここで、表示切換部２ｄが行うキャリブレーション動作について簡単に説明する。表示切換部２ｄにおけるキャリブレーション部は、キャリブレーションを行うための自動補正プログラムを予め格納している。図４の画面９の状態で、利用者が画面にタッチすると、自動補正プログラムが立ち上がり、キャリブレーション動作が開始される。
【００６１】
自動補正プログラムのキャリブレーション処理の内容については、特に限定されず、既存のアルゴリズムのうち、任意のものを適用するようにすればよい。以下では、そのうちの２種類の方法について、簡単に説明する。
【００６２】
１つめのキャリブレーションの方法としては、図４の画面９に利用者がタッチすると、画面が切り換わり、いったん、何も表示されていない画面になり、その後、利用者にタッチを促すタッチターゲットが表示される。タッチターゲットの形状は、「＋」や、複数の同心円の中央部に「＋」が表示されているもの等が望ましい。また、当該タッチターゲットと共に、「タッチターゲットにタッチして下さい」などのメッセージを同時に画面に表示する。利用者がタッチターゲットにタッチすると、故障検出部２ｃは、利用者にタッチされた位置の位置検出を行い、タッチターゲットの目標表示位置と検出された位置座標とのずれを求める。この処理を、３回程度の複数回繰り返し、タッチターゲットの目標表示位置と検出された位置座標とのずれの平均値を求める。故障検出部２ｃは、当該ずれの平均値を、位置補償値として記憶し、次回以降の位置検出時には、検出した位置座標を当該位置補償値で補償した値を、検出位置座標として用いるようにする。これにより、位置ずれを補償することができ、利用者が押した釦の位置を正確に検出できるようになる。
【００６３】
次に、２つめのキャリブレーションの方法について説明する。ここでは、乗場操作盤１ａ，１ｂが、抵抗シート式のタッチスクリーン式ディスプレイから構成されている場合について説明する。図４の画面９に利用者がタッチすると、何も表示されていない画面に切り換わる。故障検出部２ｃは、その状態において、画面の各ピクセルの抵抗値を測定し、当該抵抗値を新たな校正値として記憶する。こうして、画面に何も接触していない状態でキャリブレーションを実行することにより、故障検出部２ｃには、非接触状態における各抵抗値が校正値として記憶される。これにより、利用者が釦を押したときに検出された抵抗値から校正値を差し引いた値が、非接触状態からの各抵抗値の変化量となるため、故障検出部２ｃは、利用者が押した釦の位置を正確に検出できるようになる。なお、乗場操作盤１ａ，１ｂが、静電容量方式のタッチスクリーン式ディスプレイから構成されている場合には、抵抗値の代わりに、非接触状態における各静電容量を測定し、それを校正値として記憶する。
【００６４】
以上のように、この発明の実施の形態２においても、対象の乗場操作盤と他の乗場操作盤からの呼び登録の状況から、対象の乗場操作盤が故障か否かを判定するようにしたので、上記の実施の形態１と同様に、従来は故障と判断されなかった状態も検出することができ、故障や不具合に合わせた適切な対応が可能になるという効果を得ることができる。
【００６５】
さらに、本実施の形態２においては、エレベータのかご内に設置され、かご内の利用者を検出する利用者検出部をさらに備えるようにし、故障検出部２ｃが、検出対象の乗場操作盤から呼び登録が行われた場合に、当該呼び登録が行われた時点から予め設定された一定時間内にかご内において利用者が検出されたか否かを利用者検出部からの検出結果に基づいて判定し、当該利用者が検出されず、且つ、予め設定された設定時間内における他の乗場操作盤からの呼び登録の個数が閾値以上であった場合に、検出対象の乗場操作盤に故障が発生していると判定するようにした。このように、本実施の形態２においては、１つの乗場操作盤から呼びが登録されたにも関わらず、その後、一定時間経過しても、かご内に利用者が検出されずに、他の乗場操作盤が使用されて呼び登録された場合に、乗場操作盤に位置ずれの不具合が生じ、利用者の意図した階床とは別の階床が誤登録されたと判定し、乗場操作盤の故障であると判断することができる。
【００６６】
また、本実施の形態においては、故障検出部２ｃが、検出対象の乗場操作盤に故障が発生していると判定した場合に、当該乗場操作盤の画面のキャリブレーションを行うキャリブレーション部をさらに備えるようにした。これにより、本実施の形態においては、検出対象の乗場操作盤に位置ずれの故障が発生していても、キャリブレーションにより、当該位置ずれを修正することができる。
【００６７】
なお、キャリブレーションを行うことについては例えば特許文献２にも記載されているが、特許文献２においては、抵抗シート方式のタッチパネルに、位置ずれ検出用の基準抵抗素子を直列に接続しておき、装置電源を立ち上げたときに、シートの抵抗値を測定し、前回の抵抗値と比較して、その差が一定しきい値以上になった場合に、キャリブレーションが必要な旨のメッセージを画面に表示し、キャリブレーションを行っていた。そのため、特許文献２では、位置ずれ検出用の基準抵抗素子やシートの抵抗値を測定するための新たな機器が必要となり、余分なコストが発生していたが、本実施の形態では、呼び登録の状況から位置ずれが発生しているか否かを検出するようにしたので、位置ずれ検出用の基準抵抗素子や新たな機器などは必要としないので、余分なコストがかからないという効果が得られる。また、特許文献２では、個々の乗場操作盤で位置ずれの検出を行っているので、集約的に一か所でまとめて検出することはできなかったが、本実施の形態では、呼び登録の状況から位置ずれが発生しているかを検知するようにしたので、故障検出部２ｃで、集約的に、各乗場操作盤についての位置ずれの発生を検知することができる。また、特許文献２においては、個々の乗場操作盤で位置ずれの検出を行い、防災センターや管理室等に通報することについては記載されていないので、キャリブレーションを実施したことを防災センターや管理室等で把握されない可能性があるが、本実施の形態においては、呼び登録の状況から位置ずれが発生しているかを検知してキャリブレーションを行うようにしたので、その乗場操作盤でキャリブレーションが実施されたかを防災センターや管理室等で把握することができる。
【００６８】
なお、補足ながら、上記の実施の形態２においては、利用者検出部をかご内に設置する場合について説明したが、その場合に限らず、利用者検出部を乗場に設置するようにしてもよい。あるいは、利用者検出部を、かご内と乗場の両方に設置するようにしてもよい。いずれの場合においても、動作は、図６のフローチャートと基本的に同じとし、ステップＳ２０１の処理において、「乗場に利用者がいるか否かを判定する」あるいは「かご内または乗場に利用者がいるか否かを判定する」ようにする点のみが異なる。
【００６９】
また、上記の実施の形態１，２について別個の実施の形態として説明したが、上記の実施の形態１，２を組み合わせてもよい。その場合には、例えば、上記の実施の形態２で、位置ずれを行ってキャリブレーションを実施した後に、実施の形態１を実施するようにすればよい。あるいは、その逆で、実施の形態１と実施した後に、実施の形態２を実施するようにしてもよい。
【００７０】
また、上記の実施の形態１，２においては、停車階に１台ずつの乗場操作盤が設けられている場合について説明したが、その場合に限らず、この発明に係るエレベータの乗場操作盤故障検出装置は、複数台の乗場操作盤が設置されている場合において、それらの乗場操作盤がタッチパネル式の乗場操作盤である全ての場合に対して適用することができる。すなわち、停車階に複数台の乗場操作盤が設けられている場合においても、あるいは、停車階に１台ずつの乗場操作盤が設けられている場合においても、この発明に係るエレベータの乗場操作盤故障検出装置を適用することができる。
【００７１】
上記の実施の形態１，２においては、エレベータが１台設置されている場合について説明したが、その場合に限らず、この発明に係るエレベータの乗場操作盤故障検出装置は、複数台のエレベータが設置されている場合にも適用することができる。
【００７２】
上記の実施の形態１，２においては、乗場操作盤１ａ，１ｂが、図４の画面５のように、利用者が行先階を入力できるタイプのエレベータについて説明したが、その場合に限らず、この発明に係るエレベータの乗場操作盤故障検出装置は、乗場操作盤１ａ，１ｂが、一般的に用いられている、上方向の釦と下方向の釦とだけが設けられており、利用者が上方向または下方向の行先方向のみを入力するタイプのエレベータにも適用することができる。
【００７３】
上記の実施の形態１，２においては、乗場操作盤１ａ，１ｂの故障の検出を行う場合について説明したが、この発明に係るエレベータの乗場操作盤故障検出装置は、かご内操作盤の故障検出を行うためのエレベータのかご内操作盤故障検出装置として用いることもできる。
【００７４】
また、この発明に係る乗場操作盤１ａ，１ｂを構成するタッチスクリーン式操作盤は、特に限定されることなく、例えば、抵抗シート方式、表面弾性波方式、先外線方式、電磁誘導方式、静電容量方式、光学方式などの、あらゆるタイプのタッチスクリーン式操作盤から構成することができる。
【符号の説明】
【００７５】
１ａ，１ｂ  乗場操作盤、２  エレベータ制御盤、２ａ  呼び登録部、２ｂ  エレベータ制御部、２ｃ  故障検出部、２ｄ  表示切換部、３  防災センター、４  エレベータ、５，６，７，８，９  画面。
【図１】
2017052635.tif 000003
【図２】
2017052635.tif 000004
【図３】
2017052635.tif 000005
【図４】
2017052635.tif 000006
【図５】
2017052635.tif 000007
【図６】
2017052635.tif 000008